(57)【要約】【課題】      ２つの有機電子発光ディスプレイパネルが、単体に入った、デュアルスクリーン有機電子発光ディスプレイ装置を提供する。【解決手段】  ２つの独立した従来の有機電子発光ディスプレイを２つの基板内に被包することによって、重量と厚さを減少する。また、被包ステップが一度だけなので、コストを下げることも可能である。【選択図】    図１
2004327416.tif 000002
【特許請求の範囲】
【請求項１】
２つの底部放出有機電子発光ディスプレイパネルを有するデュアルスクリーン有機電子発光ディスプレイ装置であって、
夫々の底部放出有機電子発光ディスプレイパネルが、
透明基板と、
前記有機電子発光要素が、複数の有機電子発光物質と、夫々が前記有機電子発光要素の反対側に位置する複数の金属電極と複数の透明電極とを含む、前記透明基板上に形成される、有機電子発光要素と、
前記金属電極をカバーする、前記有機電子発光要素上に形成した、絶縁層と、
２つの向き合う底部放出有機電子発光ディスプレイパネルを被包する、粘着物質とを含み、
前記有機電子発光要素から発せられる光が、透明基板を通過し、各有機電子発光ディスプレイパネルの前記透明基板を、ディスプレイ側として利用することを特徴とする、
デュアルスクリーン有機電子発光ディスプレイ装置。
【請求項２】
請求項１に記載のデュアルスクリーン有機電子発光ディスプレイ装置において、
前記有機電子発光物質を、電子孔注入層と、電子孔透明層と、放出層と、電子透明層と、電子注入層と、チャージ生成層とより選択することが可能であることを特徴とする、
デュアルスクリーン有機電子発光ディスプレイ装置。
【請求項３】
請求項１に記載のデュアルスクリーン有機電子発光ディスプレイ装置において、
各透明電極は、インジウムスズ酸化物（ＩＴＯ）、インジウム亜鉛酸化物（ＩＺＯ）、または薄い金属層より成ることを特徴とする、
デュアルスクリーン有機電子発光ディスプレイ装置。
【請求項４】
請求項１に記載のデュアルスクリーン有機電子発光ディスプレイ装置において、
前記透明基板物質は、ガラスまたはプラスチックであることを特徴とする、
デュアルスクリーン有機電子発光ディスプレイ装置。
【請求項５】
請求項１に記載のデュアルスクリーン有機電子発光ディスプレイ装置において、
前記粘着物質は、ＵＶ硬化エポキシであることを特徴とする、
デュアルスクリーン有機電子発光ディスプレイ装置。
【請求項６】
請求項１に記載のデュアルスクリーン有機電子発光ディスプレイ装置において、
前記底部放出有機電子発光ディスプレイパネルは、２つのパッシブマトリックスと２つのアクティブマトリックス、またはパッシブマトリックスとアクティブマトリックスとの組み合わせとによって成ることを特徴とする、
デュアルスクリーン有機電子発光ディスプレイ装置。
【請求項７】
夫々が、複数の有機電子発光物質と、夫々が有機電子発光物質の反対側に形成される複数の透明電極と複数の金属電極とを含む、上部放出有機電子発光要素および底部放出有機電子発光要素と、
底部放出有機電子発光要素上に形成され、透明電極が取り付けられる、透明基板と、
前記底部放出有機電子発光要素上に、前記金属電極をカバーするために形成され、前記上部放出有機電子発光要素がその上に搭載され、前記金属電極が取り付けられる、絶縁層と、
前記上部放出有機電子発光要素上に搭載される、透明蓋と、
前記透明基板と透明蓋との間に充填される、粘着物質とより構成し、
底部放出有機電子発光要素から発せられた光は、透明基板を通過し、
上部放出有機電子光要素から発せられた光は、前記透明蓋を通過する一方、前記透明基板と透明蓋は、２つの独立したディスプレイスクリーンとして利用可能であることを特徴とする、
デュアルスクリーン有機電子発光ディスプレイ装置。
【請求項８】
請求項６に記載のデュアルスクリーン有機電子発光ディスプレイ装置において、
前記有機電子発光物質が、電子孔注入層と、電子孔透明層と、放出層と、電子透明層と、電子注入層と、チャージ生成層とより選択が可能であることを特徴とする、
デュアルスクリーン有機電子発光ディスプレイ装置。
【請求項９】
請求項６に記載のデュアルスクリーン有機電子発光ディスプレイ装置において、
各透明電極は、インジウムスズ酸化物（ＩＴＯ）、インジウム亜鉛酸化物（ＩＺＯ）、または薄い金属層より成ることを特徴とする、
デュアルスクリーン有機電子発光ディスプレイ装置。
【請求項１０】
請求項６に記載のデュアルスクリーン有機電子発光ディスプレイ装置において、
前記透明基板物質は、ガラスまたはプラスチックであることを特徴とする、
デュアルスクリーン有機電子発光ディスプレイ装置。
【請求項１１】
請求項６に記載のデュアルスクリーン有機電子発光ディスプレイ装置において、
前記粘着物質は、ＵＶ硬化エポキシであることを特徴とする、
デュアルスクリーン有機電子発光ディスプレイ装置。
【請求項１２】
請求項６に記載のデュアルスクリーン有機電子発光ディスプレイ装置において、
前記底部放出有機電子発光ディスプレイパネルは、パッシブマトリックスから成ることを特徴とする、
デュアルスクリーン有機電子発光ディスプレイ装置。
【請求項１３】
請求項６に記載のデュアルスクリーン有機電子発光ディスプレイ装置において、
前記底部放出有機電子発光ディスプレイパネルは、アクティブトリックスから成ることを特徴とする、
デュアルスクリーン有機電子発光ディスプレイ装置。
【請求項１４】
請求項６に記載のデュアルスクリーン有機電子発光ディスプレイ装置において、
前記上部放出有機電子発光ディスプレイパネルは、パッシブマトリックスから成ることを特徴とする、
デュアルスクリーン有機電子発光ディスプレイ装置。
【発明の詳細な説明】
【技術分野】
【０００１】
本発明は、デュアルスクリーンディスプレイ装置に関するものであり、より具体的には、デュアルスクリーン有機電子発光ディスプレイ装置に関するものである。
【背景技術】
【０００２】
情報通信及び電子器具の開発がすすむにつれ、特に、反応速度や、解像度や、イメージのクオリティの改善に関することへの注目度が増して来ている。デュアルスクリーンディスプレイ装置は、折り畳み式携帯電話や、パーソナル携帯情報機器（ＰＤＦ）や、ノート型パソコン等のポータブル電子器具に多く利用されるようになった。このデュアルスクリーンディスプレイ装置は、イメージの拡大化を可能とし、その結果、より広い視野とマルチイメージディスプレイとを実現することとなった。
【０００３】
また、軽量化と縮小化に関する需要に答えるために、電子器具の重量と厚さが、ディスプレイ装置を製造する上での重要な要件となって来ている。
【０００４】
現在、市場で販売されているポータブル電子器具に利用されるディスプレイ装置には、超ねじれネマチック液晶ディスプレイ（ＳＴＮ−ＬＣＤ）と薄膜トランジスターＬＣＤ（ＴＦＴ−ＬＣＤ）とが存在する。これら２つのディスプレイパネルを有するデュアルスクリーンディスプレイ装置における、２つの出力装置（ディスプレイパネル）は、同時に可動が可能なものである。通常、それらの２つのディスプレイパネルは、夫々パッケージ化され、背中合わせにアッセンブルされる。
【０００５】
（ＦＰＣとドライバーＩＣを含まない、）バックライト機能のある、２ｘ２インチのグラスパネルに関して云えば、その組立品は、厚さが約８−１０ｍｍで、重量が約３３ｇ−３８ｇ程度である。
【０００６】
最近開発された有機電子発光ディスプレイ（ＯＥＬＤ）装置は、自己発光性を有し、バックライトの必要性を無くした。しかも、カラーの単純構造を提供する一方、優れた耐久性を示し、低い製造コストで作ることができるといった利点があるために、魅力的なものである。ここでは、ＬＣＤとＯＥＬＤとの組み合わせで以って、デュアルスクリーンディスプレイ装置を製造する技術を説明する。
【発明の開示】
【発明が解決しようとする課題】
【０００７】
ＯＥＬＤとＬＣＤは、背中合わせにアッセンブルされている。（ＦＰＣとドライバーＩＣを含まない、）バックライトを有した、２ｘ２インチのグラスパネルのアッセンブリは、厚さが約６−８ｍｍであり、重量が３０ｇ−３４ｇである。上記の構成において、デュアルスクリーンディスプレイ装置は、夫々パッケージ化され、一緒にアッセンブルされる必要がある。したがって、アッセンブリのサイズと製造コストは、２つのシングルディスプレイ装置の合計に等しい。
【０００８】
現行のデュアルスクリーンディスプレイ装置におけるアッセンブリの重量や厚さを減らす改良技術は存在しない状態である。
【課題を解決するための手段】
【０００９】
本発明は、従来技術の不具合を克服するために、２つの有機電子発光ディスプレイパネルを単体に被包することによって形成する、デュアルスクリーン有機電子発光ディスプレイ装置を提供するものである。この技術によって、有機発光ディスプレイ装置をパッキングするのに利用する基板の数と、前記ディスプレイ装置の重量とサイズとを減少させ、更に、製造コストを減少させることにも貢献するものである。
【００１０】
本発明の有機電子発光表示装置は、２つの底部放出有機電子発光ディスプレイパネルを含むものである。１つの底部放出有機電子発光ディスプレイパネルは、透明基板と、複数の有機電子発光要素と、絶縁層とを有するものである。前記有機電子発光要素は、透明基板上に形成され、複数の有機電子発光物質と、複数の透明電極と、複数の金属電極とを含むものである。透明電極と金属電極とは、夫々有機電子発光物質の相反側に搭載され、金属電極が絶縁層でカバーされる一方、透明電極は、透明基板に取り付けられ、有機電子発光ディスプレイパネルを実現するものである。
【００１１】
有機電子発光物質からの光の放出は、外部電圧を与えることによって実施される。２つの底部放出有機電子発光ディスプレイパネルは、相互に向き合い、接着物質でアッセンブルされ、被包される。
【００１２】
本発明における様々な実施例においては、底部放出有機電子発光要素が、透明基板上に形成され、前記透明基板を通じて光を発光する。絶縁層は、底部放出有機電子発光要素上に形成される。上部有機電子発光要素は、絶縁層上に形成される。それから、透明蓋は、上部放出有機電子発光要素をカバーする。その後、被包加工が施され、デュアルスクリーン有機電子発光ディスプレイ装置が完成する。
【００１３】
実務レベルの要求に答えるために、２つの有機電子発光ディスプレイパネルを、２つのパッシブマトリクス、２つのアクティブマトリックス、または、パッシブマトリックスとアクティブマトリックスの組み合わせから形成することも可能である。本発明の有機電子発光ディスプレイ装置は、モノクロ、マルチクロム、またはフルカラーのディスプレイパネルの代替品として利用が可能である。
【００１４】
本発明の適用範囲に関しては、以下の詳細な説明から明らかになる。しかしながら、当業者にとって、様々な変更や改修が、本発明の精神と請求の範囲内で実施可能であることが詳細な説明から明らかである。したがって、下記の詳細な説明と特定の例は、本発明の好適な実施例を示す一方、あくまで説明を目的として示されたものであると理解されるべきである。
【発明を実施するための最良の形態】
【００１５】
本発明は、２つの底部放出有機電子発光ディスプレイパネルを含む、デュアルスクリーン有機電子発光ディスプレイ装置を提供するものである。
【００１６】
図１を参照すると、そこには本発明の第一実施例が図示されており、底部放出有機電子発光ディスプレイパネルが、透明基板１００と、有機電子発光要素と、絶縁層１４０とを含むことが示されている。有機電子発光要素は、透明基板１００上に形成され、絶縁層１４０で以ってカバーされる。有機電子発光要素は、複数の有機電子発光物質１２０と、複数の透明電極１１０と、複数の金属電極１３０とを含むものである。透明電極１１０と金属電極１３０とは、夫々有機電子発光物質１２０の反対側に形成される。金属電極が、絶縁層でカバーされて、透明電極１１０が、透明基板１００に取り付けられ、単独の有機電子発光ディスプレイパネルを形成する。
【００１７】
本実施例において、透明電極１１０は、まず透明基板１００上に形成される。そして、複数の有機電子発光物質１２０は、透明電極１１０上に搭載せられる。有機電子発光要素が良いパフォーマンスを発揮するために、有機電子発光物質を、電子孔注入層と、電子孔透明層と、放出層と、電子送信層と、電子注入層と、チャージ生成層とより選択することが可能である。金属電極１３０は、有機電子発光物質１２０上に形成され、絶縁層１４０が、金属電極１３０をカバーする。
【００１８】
これで１つの底部放出有機電極発光ディスプレイパネルが完成する。上記の底部放出有機電子発光ディスプレイパネルは、２つを対面させて位置し、ＵＶ硬化エポキシ１５０で被包して、デュアルスクリーン有機電子発光ディスプレイ装置を形成する。
【００１９】
また、２つのディスプレイパネルが、１つの透明基板上に形成され、透明蓋でもって被包することも可能である。図２は、本発明の第二実施例に基づくデュアルスクリーン有機電子発光ディスプレイ装置の概略図である。
【００２０】
本実施例において、デュアルスクリーン有機電子発光ディスプレイ装置は、透明基板２００と、上部放出有機電子発光要素と、底部放出有機発光要素と、絶縁層２４０と、透明蓋２６０とを含むものである。複数の透明電極２１０は、透明基板２００上に形成される。そして、複数の底部放出有機電子発光物質２２０は、透明要素２１０上に搭載される。有機電子発光要素が良いパフォーマンスを引き出すために、有機電子発光物質を、電子孔注入層と、電子孔透明層と、放出層と、電子透明層と、電子注入層と、チャージ生成層とからより選択することが可能である。複数の金属電極２３０は、有機電子発光物質２２０上に形成され、底部放出有機電子発光要素を形成し、絶縁層２４０で以ってカバーする。夫々次々と形成した、複数の金属電極２３１と、複数の有機発光物質２２１と、複数の透明電極２１１とを含む、上部放出有機発光要素は、絶縁層２４０上に積み重ねられる。透明電極２１１と金属電極２３１は、夫々有機電子発光物質２２１の反対側に形成される。複数の有機電子発光物質２２１は、電子孔注入層と、電子孔透明層と、放出層、電子透明層と、電子注入層と、チャージ生成層等を含むことが可能である。ＵＶ硬化エキポシ２５０と透明蓋２６０とは、ディスプレイパネルを被包し、デュアルスクリーン有機電子発光表示装置を現実のものとするために利用さられる。
【００２１】
夫々の透明電極は、インジウムスズ酸化物（ＩＴＯ）またはインジウム亜鉛酸化物（ＩＺＯ）または薄い金属層からの形成が可能である。透明基板は、例えば、ガラスまたはプラスチックで出来ている。金属電極をカバーする絶縁層は、光のクロストークを防ぐために、暗い色か黒色とする。実務上の要求に答えるために、これらの２つの有機電子発光ディスプレイパネルを、２つのパッシブマトリックス、２つのアクティブマトリックスまたはパッシブマトリックスとアクティブマトリックスの組み合わせによって実現される。
【００２２】
本発明のディスプレイ装置において、２ｘ２インチのグラスパネルは、１．５ｍｍ〜３ｍｍの範囲の厚さに縮減可能であり、重量も１５ｇ〜１７ｇに縮減可能である。更に、ディスプレイパネルを被包するためには、ただ１回の被包ステップで良く、これによって製造費用を効果的に減らすことが可能である。従来技術と比較すると、表１に示されるように、本発明のディスプレイ装置の厚さは、従来技術の約３分の１である。同時に、本発明のディスプレイ装置の重さとパッケージ費用は、従来技術の約２分の１である。
【００２３】
【表１】
2004327416.tif 000003
【００２４】
本発明は上述のようなものであるから、ある種の変形が様々な形で可能であることは明白である。そのような変形は、本発明の精神と請求の範囲から逸脱するものであるとはみなされるべきではなく、そのような変形は全て、本発明の以下の請求の範囲内に収まるものであると意図され、当業者にとって自明であると判断されるものである。
【図面の簡単な説明】
【００２５】
【図１】本発明の第一実施例にあるデュアルスクリーン有機電子発光ディスプレイの概略図
【図２】本発明の第二実施例にあるデュアルスクリーン有機電子発光ディスプレイの概略図
【図１】
2004327416.tif 000004
【図２】
2004327416.tif 000005